(57)【要約】【課題】ゴミ焼却炉などの化学反応装置から発生する排ガス中のハロゲン化合物及び硫黄酸化物を、１回のサンプリングと１回の分析で同時に精度良く測定可能な分析方法及び分析用前処理装置や分析用前処理キットを提供すること。【解決手段】化学反応装置から発生するハロゲン化合物及び硫黄酸化物を含む排ガスを水酸化ナトリウム水溶液に吸収させ、陽イオン交換樹脂を加えてナトリウムイオンを吸着・除去した後、吸収液中に二酸化炭素のパージ用ガスを通気して二酸化炭素を除去した後、吸収液中のハロゲン化物イオン及び硫酸イオンをイオンクロマトグラフ法により測定する。ＩＣ法で分析するときの妨害原因となるアルカリ成分と炭酸イオンを除去することで、ハロゲン化合物と硫黄酸化物を同時に精度良く分析できる。また、排ガス吸収液中にオゾンを流して排ガス中のＳＯｘをすべて硫酸イオンに変えると、正確なＳＯｘ濃度の測定・分析が可能となる。【選択図】図７
2008046026.tif 000002
【特許請求の範囲】
【請求項１】
化学反応装置から発生するハロゲン化合物及び硫黄酸化物を含む排ガスを水酸化ナトリウム水溶液に吸収させた後、該吸収液の一定量に陽イオン交換樹脂を加えてナトリウムイオンを陽イオン交換樹脂により吸着・除去し、前記吸収液中の二酸化炭素のパージ用ガスを前記陽イオン交換樹脂を加えた吸収液中に通気して吸収液中の炭酸イオンを二酸化炭素として除去し、次いで前記吸収液中のハロゲン化物イオン及び硫酸イオンをイオンクロマトグラフ法により測定することを特徴とする排ガス中のハロゲン化合物及び硫黄酸化物の分析方法。
【請求項２】
前記二酸化炭素のパージ用ガスは、予め洗浄して排ガス中のハロゲン化合物及び硫黄酸化物の分析阻害成分を除去したガスであることを特徴とする請求項１記載の排ガス中のハロゲン化合物及び硫黄酸化物の分析方法。
【請求項３】
前記二酸化炭素のパージ用ガスと共に又は別に吸収液中の亜硫酸イオンを硫酸イオンに酸化させるためのオゾンを前記吸収液中に通気することを特徴とする請求項１又は２記載の排ガス中のハロゲン化合物及び硫黄酸化物の分析方法。
【請求項４】
化学反応装置から発生するハロゲン化合物及び硫黄酸化物を含む排ガスを水酸化ナトリウム水溶液に通じて吸収させた吸収液と陽イオン交換樹脂を接触させることにより前記吸収液中のナトリウムイオンを吸着・除去し、吸収液中の二酸化炭素のパージ用ガスを前記吸収液中に通じて吸収液中の二酸化炭素を除去する中和脱ガス器と、
前記二酸化炭素のパージ用ガスを前記中和脱ガス器内の吸収液中に通気する通気手段と、
該通気手段により通気されるパージ用ガスにより前記吸収液から発生する二酸化炭素を排気する排気手段と
を設けたことを特徴とする排ガス中のハロゲン化合物及び硫黄酸化物の分析用前処理装置。
【請求項５】
更に、前記二酸化炭素のパージ用ガスを洗浄して排ガス中のハロゲン化合物及び硫黄酸化物の分析阻害成分を除去するガス洗浄装置を設けたことを特徴とする請求項４記載の排ガス中のハロゲン化合物及び硫黄酸化物の分析用前処理装置。
【請求項６】
更に前記吸収液中の亜硫酸イオンを硫酸イオンに酸化させるためのオゾンを前記二酸化炭素のパージ用ガスと共に又は別に前記中和脱ガス器内の吸収液に通気するためのオゾン通気手段を設けたことを特徴とする請求項４又は５記載の排ガス中のハロゲン化合物及び硫黄酸化物の分析用前処理装置。
【請求項７】
イオンクロマトグラフ法による分析用の前処理装置であることを特徴とする請求項４ないし６のいずれかに記載の排ガス中のハロゲン化合物及び硫黄酸化物の分析用前処理装置。
【請求項８】
ナトリウムイオンを吸着・除去する陽イオン交換樹脂を密封した押圧力で破壊可能な密閉容器と、該密閉容器とハロゲン化合物及び硫黄酸化物を含む排ガスを吸収した水酸化ナトリウム水溶液とを収納可能で、キャップにより密封可能な開口部を有する吸収容器とを一体化した構造であることを特徴とする排ガス中のハロゲン化合物及び硫黄酸化物の分析用前処理キット。
【請求項９】
前記排ガスを吸収した水酸化ナトリウム水溶液の吸収液中の二酸化炭素を除去するためのパージ用ガスを通気する通気口を有することを特徴とする請求項８記載の排ガス中のハロゲン化合物及び硫黄酸化物の分析用前処理キット。
【請求項１０】
前記破壊可能な密閉容器はガラス製であり、前記吸収容器は軟質プラスチック製であることを特徴とする請求項８又は９記載の排ガス中のハロゲン化合物及び硫黄酸化物の分析用前処理キット。
【請求項１１】
イオンクロマトグラフ法による分析用の前処理キットであることを特徴とする請求項８ないし１０のいずれかに記載の排ガス中のハロゲン化合物及び硫黄酸化物の分析用前処理キット。
【発明の詳細な説明】
【技術分野】
【０００１】
本発明は、化学反応装置から発生する排ガス中のフッ素、塩化水素、臭素などのハロゲン化合物と硫黄酸化物を簡便、同時に分析可能な方法と分析用前処理装置、及び分析用前処理キットに関するものである。
【背景技術】
【０００２】
例えば、都市ゴミや産業廃棄物などを燃焼した際に発生する排ガス中には、有害物質として、硫黄酸化物の他にも微量のハロゲン化合物が含まれており、これらハロゲン化合物から生成される様々な大気汚染物質の発生が問題となっている。
【０００３】
一方、都市ゴミや産業廃棄物などの焼却炉等の固定発生源から発生する有毒物質の測定法として、日本工業規格（ＪＩＳ）では排ガス分析方法が規定されている。この排ガス分析方法では測定対象成分が約２５種類に分類され、各測定対象成分毎に測定法が定められている。そして排ガス中のハロゲン化合物のうち、フッ化水素（ＨＦ）、塩化水素（ＨＣｌ）、臭化水素（ＨＢｒ）及び硫黄酸化物（ＳＯｘ）の分析方法についても定められているが、この方法では、これらの成分は排ガスを各成分ごとに別々に採取（サンプリング）し、別々に測定する必要がある。
【０００４】
ＪＩＳで規格されている排ガス中のハロゲン化合物の分析方法として、ＨＦについてはランタン−アリザリンコンプレキソン吸光光度法（ＬＡＣ法）やイオン電極法などの分析方法が採用されており、ＨＢｒについてはチオシアン酸水銀（II）吸光光度法、チオ硫酸滴定法が採用されている。
【０００５】
近年、排ガスの規制強化が進み、脱硫処理や排ガス処理技術の向上もあって、これらの有害物質は低濃度化の傾向にある。したがって、上記イオン電極法や滴定法などの分析方法では、低濃度のＨＦやＨＢｒを精度良く分析することは難しい。一方、このような低濃度のハロゲン化合物を測定、分析する方法としては、例えばイオンクロマトグラフ法（以下、ＩＣ法という場合がある）がある。
【０００６】
そして、フッ素を測定、分析する技術として、下記特許文献１によれば、フッ素樹脂またはフッ素樹脂を含む化合物を炭酸ナトリウムなどのアルカリ塩に吸収させ、水に溶解させた後、陽イオン交換樹脂によりアルカリを除き、残った水溶液中のフッ化物イオンをＩＣ法により測定する構成が採用されている。また、ＨＢｒを測定、分析する技術としては、発光管をアルカリ溶液中で破砕し、破砕により発生した破砕物をアルカリ溶液から除去した後、ＩＣ法により、アルカリ溶液に含まれるハロゲンを定量する構成が採用されている。しかし、これら特許文献等の構成は、対象とするハロゲン化合物を個々に測定する技術であり、また対象とする測定試料も限られ微量であるため、これらの方法を様々な物質が混在する都市ゴミや産業廃棄物などを燃焼した際に発生する排ガス中のハロゲン化合物や硫黄酸化物の分析に適用することは難しい。
【０００７】
そして、現在のＪＩＳによる排ガス分析方法では、上述したように各成分ごとに別々にサンプリングし、別々に分析する必要があるが、これら排ガス中のハロゲン化合物やＳＯｘを１回のサンプリングと１回の分析で測定できれば、測定時間の短縮と分析コストが低減でき、簡便で望ましい。
【０００８】
一方、下記非特許文献１において、ＳＯｘとＨＣｌを分析する方法として採用されているＩＣ法は、低濃度の陰イオン成分を短時間で同時分析できるという特徴がある。この方法は、０．３％又は０．０３％の過酸化水素（Ｈ2Ｏ2）水で排ガスを捕集した後、ＩＣ法で塩化物イオンと硫酸イオンを測定し、排ガス中のＳＯｘとＨＣｌを分析する方法である。
【０００９】
そして、有機化合物中の４種のハロゲン（フッ素、塩素、ヨウ素、臭素）と硫黄を同時に分析する方法として、有機化合物を燃焼して過酸化水素水又は飽水ヒドラジンを含む希水酸化ナトリウム水溶液（以下、ＮａＯＨ溶液という場合がある）に吸収させて試料液としてイオンクロマトグラフに取り込み、ＩＣ法により同時に分析する方法が提案されている（下記特許文献３）。
【特許文献１】特開２００２−２１４２１７号公報
【特許文献２】特開２００２−２８９１００号公報
【特許文献３】特開平８−２６２０００号公報
【非特許文献１】日本工業規格（ＪＩＳ）  Ｋ  ０１０３  排ガス中の硫黄酸化物分析方法（２００５）
【発明の開示】
【発明が解決しようとする課題】
【００１０】
上記特許文献３による方法は、過酸化水素水又は飽水ヒドラジンを含む希水酸化ナトリウム水溶液を吸収液として使用している。そして、この測定方法は、医薬、農薬などの分野における有機化合物中のハロゲン及び硫黄を測定対象としており、試料の量も１〜数ｍｇと少ない。したがって、試料を燃焼した際に発生する二酸化炭素やハロゲン化合物の量も少ないため、希水酸化ナトリウム水溶液を吸収液として使用可能である。
【００１１】
しかし、都市ゴミや産業廃棄物などを燃焼した際に発生する排ガス中には、ハロゲン化合物の他に１０数％の高濃度の二酸化炭素が含まれるため、排ガスの吸収液が希アルカリ溶液であると、排ガス中の酸性成分が十分に吸収されず、また吸収液の酸性度も高くなり、一旦吸収されたハロゲン化合物が吸収液から揮発してしまう。したがって、排ガス中のハロゲン化合物を正確に測定ができないおそれがある。
【００１２】
一方、上記ＪＩＳで定められた塩化水素と硫黄酸化物のＩＣ法による分析方法においても（非特許文献１）、排ガスの吸収液として、０．３％のＨ2Ｏ2水溶液を用いている。Ｈ2Ｏ2水溶液を用いた場合は、塩化水素と硫黄酸化物の測定は、それぞれ塩素イオン（Ｃｌ-）、硫酸イオン（ＳＯ42-）として精度良く分析可能である。しかし、この方法で他のハロゲン成分（フッ素、臭素）と塩化水素の同時測定を試みても、０．３％のＨ2Ｏ2水溶液を用いたときのＨＦとＨＢｒの捕集率が明らかでないこと、又、二酸化炭素を含む排ガスを吸収したときにフッ化水素と臭化水素が吸収液中から揮散するおそれがあるため、これら低濃度のハロゲン成分を正確に同時測定することは難しい。したがって、排ガスの吸収液として、何を使用すれば良いのかという問題がある。
【００１３】
しかし、排ガス規制が進む中で、上記イオン電極法や滴定法などでは測定不能な排ガス中の低濃度のハロゲンを測定できると共に、排ガス中のハロゲン化合物と硫黄酸化物などの酸性成分を同時に高精度で測定、分析できる簡便な測定方法や測定装置等が求められている。
【００１４】
本発明の課題は、上記問題点を解決することであり、具体的にはゴミ焼却炉などの化学反応装置から発生する排ガス中の低濃度のハロゲン化合物及び硫黄酸化物などの酸性成分を、１回のサンプリングで同時に精度良く測定可能な分析方法を提供することである。更にこのような分析方法にかかる前処理を簡便、容易、短時間で可能な分析用前処理装置や分析用前処理キットを提供することである。
【課題を解決するための手段】
【００１５】
本発明は、以下のような構成を採用することにより達成できる。  
請求項１記載の発明は、化学反応装置から発生するハロゲン化合物及び硫黄酸化物を含む排ガスを水酸化ナトリウム水溶液に吸収させた後、該吸収液の一定量に陽イオン交換樹脂を加えてナトリウムイオンを陽イオン交換樹脂により吸着・除去し、前記吸収液中の二酸化炭素のパージ用ガスを前記陽イオン交換樹脂を加えた吸収液中に通気して吸収液中の炭酸イオンを二酸化炭素として除去し、次いで前記吸収液中のハロゲン化物イオン及び硫酸イオンをイオンクロマトグラフ法により測定する排ガス中のハロゲン化合物及び硫黄酸化物の分析方法である。
【００１６】
請求項２記載の発明は、前記二酸化炭素のパージ用ガスは、予め洗浄して排ガス中のハロゲン化合物及び硫黄酸化物の分析阻害成分を除去したガスである請求項１記載の排ガス中のハロゲン化合物及び硫黄酸化物の分析方法である。
【００１７】
請求項３記載の発明は、前記二酸化炭素のパージ用ガスと共に又は別に吸収液中の亜硫酸イオンを硫酸イオンに酸化させるためのオゾンを前記吸収液中に通気する請求項１又は２記載の排ガス中のハロゲン化合物及び硫黄酸化物の分析方法である。
【００１８】
請求項４記載の発明は、化学反応装置から発生するハロゲン化合物及び硫黄酸化物を含む排ガスを水酸化ナトリウム水溶液に通じて吸収させた吸収液と陽イオン交換樹脂を接触させることにより前記吸収液中のナトリウムイオンを吸着・除去し、吸収液中の二酸化炭素のパージ用ガスを前記吸収液中に通じて吸収液中の二酸化炭素を除去する中和脱ガス器と、前記二酸化炭素のパージ用ガスを前記中和脱ガス器内の吸収液中に通気する通気手段と、該通気手段により通気されるパージ用ガスにより前記吸収液から発生する二酸化炭素を排気する排気手段とを設けた排ガス中のハロゲン化合物及び硫黄酸化物の分析用前処理装置である。
【００１９】
請求項５記載の発明は、更に、前記二酸化炭素のパージ用ガスを洗浄して排ガス中のハロゲン化合物及び硫黄酸化物の分析阻害成分を除去するガス洗浄装置を設けた請求項４記載の排ガス中のハロゲン化合物及び硫黄酸化物の分析用前処理装置である。
【００２０】
請求項６記載の発明は、更に前記吸収液中の亜硫酸イオンを硫酸イオンに酸化させるためのオゾンを前記二酸化炭素のパージ用ガスと共に又は別に前記中和脱ガス器内の吸収液に通気するためのオゾン通気手段を設けた請求項４又は５記載の排ガス中のハロゲン化合物及び硫黄酸化物の分析用前処理装置である。
【００２１】
請求項７記載の発明は、イオンクロマトグラフ法による分析用の前処理装置である請求項４ないし６のいずれかに記載の排ガス中のハロゲン化合物及び硫黄酸化物の分析用前処理装置である。
【００２２】
請求項８記載の発明は、ナトリウムイオンを吸着・除去する陽イオン交換樹脂を密封した押圧力で破壊可能な密閉容器と、該密閉容器とハロゲン化合物及び硫黄酸化物を含む排ガスを吸収した水酸化ナトリウム水溶液とを収納可能で、キャップにより密封可能な開口部を有する吸収容器とを一体化した構造である排ガス中のハロゲン化合物及び硫黄酸化物の分析用前処理キットである。
【００２３】
請求項９記載の発明は、前記排ガスを吸収した水酸化ナトリウム水溶液の吸収液中の二酸化炭素を除去するためのパージ用ガスを通気する通気口を有する請求項８記載の排ガス中のハロゲン化合物及び硫黄酸化物の分析用前処理キットである。
【００２４】
請求項１０記載の発明は、前記破壊可能な密閉容器はガラス製であり、前記吸収容器は軟質プラスチック製である請求項８又は９記載の排ガス中のハロゲン化合物及び硫黄酸化物の分析用前処理キットである。
【００２５】
請求項１１記載の発明は、イオンクロマトグラフ法による分析用の前処理キットである請求項８ないし１０のいずれかに記載の排ガス中のハロゲン化合物及び硫黄酸化物の分析用前処理キットである。
【００２６】
（作用）
上記非特許文献１において、ＳＯｘとＨＣｌを分析する方法として採用されているＩＣ法は、低濃度の陰イオン成分を短時間で同時分析できるという特徴がある。本発明者らは、このような特徴のあるＩＣ法により、ＳＯｘやＨＣｌのみならず、ＨＦやＨＢｒも同時に精度良く分析できる方法やこのような方法の分析用前処理装置、また、分析用前処理キットなどについて鋭意研究を重ね、以下のことを見出した。
【００２７】
上記のように、非特許文献１におけるＳＯｘとＨＣｌのＩＣ法による分析方法では、吸収液としてＨ2Ｏ2水溶液を用いているが、この吸収液を用いた場合は、フッ素化合物と臭素化合物の捕集率が明らかでない。又、排ガス中の二酸化炭素を吸収することによる吸収液の液性の変化から、吸収液中の塩化物イオンとフッ化物イオンと臭化物イオンを精度良く測定することは難しい。一方、ＪＩＳで定められた排ガス中のハロゲン化合物（ＨＦ、ＨＢｒ、ＨＣｌ）の測定は、排ガスを上記特許文献等よりも比較的高濃度の０．１Ｍ（ｍｏｌ／Ｌ）水酸化ナトリウム水溶液に吸収させた後、ランタン−アリザリンコンプレキソン吸光光度法（ＬＡＣ法）、チオシアン酸水銀（II）吸光光度法、チオ硫酸滴定法や硝酸銀滴定法、イオン電極法などで分析する方法である（ＪＩＳ  Ｋ  ０１０５（ＨＦ）、ＪＩＳ  Ｋ  ００８５（ＨＢｒ）、ＪＩＳ  Ｋ  ０１０７（ＨＣｌ））。
【００２８】
そこで、上記方法が排ガス吸収液として０．１Ｍ水酸化ナトリウム水溶液を使用することが共通していることに本発明者らは着目した。すなわち排ガス中には二酸化炭素が多く含まれるため、比較的アルカリの濃度が濃い吸収液が適している、またハロゲンガスの吸収液として酸性ガスを吸収できるという理由で採用されている０．１Ｍ水酸化ナトリウム水溶液に着目して、当該吸収液を用いて、他のハロゲン成分を捕集すれば、ＩＣ法でも測定できるのではと考え、本発明を完成させるに至った。
【００２９】
しかし、ＩＣ法では、通常、数ｍｍｏｌの炭酸ナトリウムと炭酸水素ナトリウム溶液を溶離液として用いるために、例えば、水酸化ナトリウム水溶液を吸収液として用いた場合に、アルカリ濃度が比較的高い場合は吸収液を分析すると、水酸化ナトリウムに起因するウォーターディップが大きくなる。また、排ガス中の二酸化炭素が吸収液に捕集され、その影響を受けて、クロマトグラム上のＦ-及びＣｌ-のピークと重なってＦ-とＣｌ-の分離性が悪いという問題がある。
【００３０】
すなわち、排ガスの吸収液に、例えば０．１Ｍなどの比較的高濃度の水酸化ナトリウム水溶液を使用したときの問題点として、（１）溶離液は数ｍＭの炭酸塩溶液に対して吸収液のアルカリ濃度（１００ｍＭ）が高いため、ウォーターディップが大きくなり、Ｆ-とＣｌ-の測定を妨害する、（２）排ガス中の二酸化炭素（ＣＯ2）が同時に捕集されると、クロマトグラム上のＦ-及びＣｌ-のピークと重なり分離性が悪いなどの問題がある。
【００３１】
しかし、本発明によれば、排ガス中のハロゲン化合物及びＳＯｘをＮａＯＨ溶液に吸収させた後、ＩＣ法で分析するときの妨害原因となるアルカリ成分（Ｎａ+）と炭酸イオン（ＣＯ32-）を除去して陰イオン（Ｆ-、Ｃｌ-、Ｂｒ-、ＳＯ42-）を精度よく分析できるように改良したので、排ガス中のハロゲン化合物（ＨＦ、ＨＣｌ、ＨＢｒ）と硫黄酸化物（ＳＯｘ）を同時に分析できる。
【００３２】
すなわち、請求項１記載の発明によれば、排ガスを吸収した吸収液中に陽イオン交換樹脂を加えることで、ウォーターディップの原因であるナトリウムイオンを陽イオン交換樹脂により吸着・除去できる。更に、パージ用ガスを吸収液中に通気して吸収液中の二酸化炭素を除去することで、ＩＣ法におけるクロマトグラム上のＦ-及びＣｌ-のピークの分離性が良くなる。なお、「ガス」とは、吸収液中の二酸化炭素を追い出すためのパージ用ガスを意味する。
【００３３】
また、請求項２記載の発明によれば、請求項１記載の発明の上記作用に加えて、パージ用ガスが清浄なガスではなくても、予め洗浄して排ガス中のハロゲン化合物及び硫黄酸化物の分析阻害成分を除去したガスをパージ用ガスとして用いることで、例えばＩＣ法における分析阻害成分であるガス中の酸性成分や汚染成分を除去して、これら酸性成分や汚染成分による吸収液のコンタミネーションを防いで、吸収液中の二酸化炭素を除去できる。したがって、更に、クロマトグラム上のＦ-及びＣｌ-のピークの分離性が良くなる。
【００３４】
一方、排ガス中のＳＯｘは、水酸化ナトリウム水溶液に吸収される際の酸化が不十分であると、不安定な亜硫酸イオンで存在する場合がある。しかし、請求項３記載の発明によれば、請求項１又は２記載の発明の上記作用に加えて、吸収液中の亜硫酸イオン（ＳＯ32-)を硫酸イオン（ＳＯ42-）に酸化させるためのオゾンを吸収液中に通気することで、排ガス中のＳＯｘをすべて硫酸イオンに変えることができる。
【００３５】
また、排ガス吸収液中にナトリウムイオンや二酸化炭素を含み、これらの成分が分析の妨害原因となる場合の種々の分析法の前処理を簡便、容易、短時間に行うことができれば、測定、分析に要する時間も節約できる。
【００３６】
請求項４記載の発明によれば、装置をセッティングするだけで排ガス吸収液中のナトリウムイオンや二酸化炭素の除去操作の一連の前処理操作を行うことができる。  
請求項５記載の発明によれば、請求項４記載の発明の上記作用に加えて、装置をセッティングするだけで、清浄なガスではないパージ用ガスから排ガス中のハロゲン化合物及び硫黄酸化物の分析阻害成分を除去でき、簡便、容易にパージ用ガスの洗浄を行うことができる。
【００３７】
請求項６記載の発明によれば、請求項４又は５記載の発明の上記作用に加えて、排ガス吸収液中に亜硫酸イオン（ＳＯ32-)が存在する場合に、排ガス中のＳＯｘをすべて硫酸イオンに酸化させるための操作を、装置をセッティングするだけで簡便、容易、短時間に行うことができる。
【００３８】
請求項７記載の発明によれば、請求項４ないし６のいずれかに記載の発明の上記作用に加えて、ＩＣ法におけるウォーターディップの原因であるナトリウムイオンを取り除き、更にＦ-及びＣｌ-のピークの分離性の阻害原因となる二酸化炭素を取り除く前処理操作を、装置をセッティングするだけで簡便、容易、短時間に行うことができる。
【００３９】
請求項８記載の発明によれば、陽イオン交換樹脂を密封した密閉容器を破壊することで水酸化ナトリウム吸収液のナトリウムイオンが陽イオン交換樹脂に吸着・除去されるため、水酸化ナトリウム吸収液中のナトリウムイオンを簡便、容易に除去できる。
【００４０】
請求項９記載の発明によれば、請求項８記載の発明の上記作用に加えて、通気口から二酸化炭素のパージ用ガスを通気することにより、吸収液から二酸化炭素を追い出せるので、吸収液中の二酸化炭素を除去できる。したがって、排ガス吸収液中のナトリウムイオンと二酸化炭素の除去操作が簡便、容易に行える。
【００４１】
請求項１０記載の発明によれば、請求項８又は９記載の発明の上記作用に加えて、軟質プラスチック製の吸収容器であるので、外部から吸収容器内の密閉容器を押してガラスを割ることで簡単に密閉容器の密封を解くことができる。またガラス製の密閉容器は軟質プラスチック製の吸収容器に収納されていることから、吸収容器を落としても密閉容器は、割れにくい。更に吸収容器は軟質プラスチック製であるので、外部からの押圧で、変形させて簡単に前処理後の試料を取り出すことができる。  
また請求項１１記載の発明によれば、請求項８ないし１０のいずれかに記載の発明の上記作用に加えて、排ガス吸収液のＩＣ分析用の前処理に必要な操作を簡便、容易、安価に行うことができる。
【発明の効果】
【００４２】
本発明によりゴミ焼却炉などの化学反応装置から発生する排ガス中の低濃度のハロゲン化合物及び硫黄酸化物などの酸性成分を、１回のサンプリングと１回の分析で同時に精度良く測定可能である。具体的には以下の効果を有する。また、排ガス中のハロゲン化合物及び硫黄酸化物の分析が迅速、簡便、安価に行われる。
【００４３】
請求項１記載の発明によれば、ＩＣ法における水酸化ナトリウム吸収液のナトリウムイオンによるウォーターディップと排ガス中の二酸化炭素の影響によるＦ-とＣｌ-の分離性の問題を解消でき、Ｆ-及びＣｌ-のピークの分離性が良好なクロマトグラムが得られる。したがって、化学反応装置から発生する排ガス中のＨＦ、ＨＢｒ、ＨＣｌなどのハロゲン化合物及び硫黄酸化物を、１回のサンプリングと１回の分析で同時に精度良く測定・分析できる。
【００４４】
請求項２記載の発明によれば、請求項１記載の発明の上記効果に加えて、パージ用ガスが清浄なガスではなくても、予め洗浄して排ガス中のハロゲン化合物及び硫黄酸化物の分析阻害成分を除去できるため、Ｆ-、Ｃｌ-、Ｂｒ−及びＳＯ４2-を精度よく分析することができる。
【００４５】
請求項３記載の発明によれば、請求項１又は２記載の発明の上記効果に加えて、排ガス中のＳＯｘをすべて硫酸イオンに変えることができ、正確なＳＯｘ濃度の測定・分析が可能となる。  
請求項４記載の発明によれば、排ガス吸収液中のナトリウムイオンや二酸化炭素の除去操作の一連の前処理操作を簡便、容易に行うことができる。
【００４６】
請求項５記載の発明によれば、請求項４記載の発明の上記効果に加えて、装置をセッティングするだけで、清浄なガスではないパージ用ガスから排ガス中のハロゲン化合物及び硫黄酸化物の分析阻害成分を除去する前処理が簡便、容易に行える。  
請求項６記載の発明によれば、請求項４又は５記載の発明の上記効果に加えて、排ガス中のＳＯｘをすべて硫酸イオンに酸化させるための操作を簡便、容易に短時間で行える。
【００４７】
請求項７記載の発明によれば、請求項４ないし６のいずれかに記載の発明の上記効果に加えて、排ガス吸収液をＩＣ法により分析する際の前処理を簡便、容易に行えるため、迅速な分析が可能となる。
【００４８】
請求項８記載の発明によれば、水酸化ナトリウム吸収液中のナトリウムイオンを簡便、容易に除去できるので、分析の前処理としてナトリウムイオンを除去する必要がある場合に簡便、容易、迅速にその操作を行うことができる。また、吸収容器に密閉容器が収納されているという一体的でコンパクトな構造となっているため、作業性に優れ、保管や持ち運びにも便利である。更に排ガス試料を安価で迅速、簡便に処理可能である。また、ｐＨ試験紙などでも分解液がアルカリ性から中性に変わったことが簡単に確認できる。更に種々の分析法の前処理に汎用的に用いることができる。
【００４９】
請求項９記載の発明によれば、請求項８記載の発明の効果に加えて、更に排ガス吸収液中の二酸化炭素を除去する必要がある場合にも簡便、容易、迅速にその操作を行うことができ、測定、分析に要する時間も節約できる。
【００５０】
請求項１０記載の発明によれば、上記請求項８又は９記載の発明の効果に加えて、吸収容器を落としても密閉容器は、割れにくいため、更に保存性や保管性に優れ、持ち運びに便利である。更に吸収容器を外部から押して変形させることで、簡単に前処理後の試料を取り出すことができ、更に簡便、迅速な前処理が可能となる。  
請求項１１記載の発明によれば、上記請求項８ないし１０のいずれかに記載の発明の効果に加えて、排ガス吸収液をＩＣ法により分析する際の前処理を簡便、容易、安価に行え、更に迅速な分析が可能となる。
【発明を実施するための最良の形態】
【００５１】
以下に本発明について詳細に説明する。なお、本発明の測定、分析対象の排ガスは、燃料や廃棄物などの燃焼、鉱石のばい焼、金属の精錬、硫黄製造工程、その他の化学反応、脱硫工程などで利用される化学反応装置からの排ガスをいい、例えば都市ゴミや産業廃棄物の焼却排ガスなどが対象となる。
【００５２】
測定対象の排ガスをサンプリングし、水酸化ナトリウム水溶液の吸収液に吸収させて、この吸収液の一定量を中和脱ガス器にとる。サンプリング法としては、ポンプ等で吸引するなどの既知な方法により行えばよい。例えば都市ゴミや産業廃棄物の焼却排ガス中にはＣＯ2が多量に含まれるため、０．１Ｍ程度の水酸化ナトリウム水溶液が好ましい。水酸化ナトリウム水溶液の濃度がこの濃度よりも低いと、排ガス中の酸性成分を十分に吸収することができず、また、吸収された酸性成分が揮散する可能性がある。更に、この濃度よりも高いと、上記したウォーターディップの問題があり、また吸収液中のＮａ+の除去に使用する陽イオン交換樹脂の量を増やす必要が生じ、除去に要する時間や手間も掛かる。
【００５３】
中和脱ガス器にとる吸収液の量は、５〜２０ｍｌ程度、例えば１０ｍｌ程度でよい。また、サンプリングする際のサンプリング管は特に限定しないが、排ガス中の腐食性ガスによって侵されず、または、これに吸着しないガラス管、石英管、四フッ化エチレン樹脂製などを用いると良い。
【００５４】
また、中和脱ガス器としては、特に限定しないがガラス製でインピンジャーを備えたものを用いると、後述する陽イオン交換樹脂が吸収液中で良く混合されてナトリウムイオンを捕集できる。またパージ用ガスの吸引と排気を容易に行うことができるので好適である。
【００５５】
次いで、この中和脱ガス器に陽イオン交換樹脂の一定量を加えて、吸収液中のナトリウムイオン（Ｎａ+）を樹脂に吸着させて、吸収液を中性溶液にする。加える陽イオン交換樹脂の量は、吸収液５〜１０ｍｌに対し１ｇ〜２ｇ程度で良く、吸収液の量により適宜調整すればよい。加える陽イオン交換樹脂の種類に特に限定はなく、強酸性、弱酸性のどちらを使用しても良い。またゲル形、ＭＲ（マクロレティキュラー）形など種々の形態のものを用いることができ、樹脂の母体構造としてはスチレン系やアクリル系の陽イオン交換樹脂を用いることができる。またこれら陽イオン交換樹脂は、Ｈ＋型陽イオン交換樹脂であってもＮａ＋型陽イオン交換樹脂であってもよいが、Ｎａ＋型の場合は、硝酸でＨ＋型に再生してから使用すればよい。
【００５６】
次いで、ＣＯ2のパージ用ガスは空気を用い、これを中和脱ガス器に流して、中性になった吸収液中のＣＯ2を追い出して除去する。なお、予め洗浄して排ガス中のハロゲン化合物及び硫黄酸化物の分析阻害成分を除去したガスをＣＯ2のパージ用ガスとして用いれば、わざわざ清浄なガスを用いなくても、これら分析阻害成分による吸収液のコンタミネーションを防いで、吸収液中の二酸化炭素を除去できる。
【００５７】
分析阻害成分としては、ハロゲン化合物、硫黄酸化物などの酸性成分や二酸化炭素などがあり、パージ用ガス中にこれら酸性成分などが含まれていると、排ガス中の酸性成分等と排ガス吸収液中で混ざってしまい、正確な排ガス中のハロゲン化合物等の測定ができなくなる。パージ用ガスの洗浄は、アルカリ溶液を通すことで容易にできる。アルカリ溶液としては、水酸化ナトリウム水溶液や水酸化カリウム水溶液などを使用することができ、この中でも酸性成分や二酸化炭素を効率よく吸収することから水酸化ナトリウム水溶液が好適である。ガスの洗浄に使用する水酸化ナトリウム水溶液の濃度及び液量は、測定する排ガスの量によって異なるが、１〜５Ｍ程度であれば、１０ｍｌ〜２０ｍｌ程度で良い。
【００５８】
また、中和脱ガス器に流すパージ用ガスは、空気又は窒素などで良い。通常の大気を用いれば、簡便でコストもかからず好適である。大気中の空気を用いる場合は、該空気を洗浄して分析阻害成分を取り除けば良い。また、パージ用ガスを吸収液中に通気する操作は、中和脱ガス器に排ガス吸収液の一定量をとり、陽イオン交換樹脂の一定量を加えて空気を吹き込んでも良い。流す時間は、１０ｍｌ程度の吸収液量であれば、５〜１５分程度で良い。
【００５９】
一方、排ガス中のＳＯｘが水酸化ナトリウム水溶液に捕集されると大部分はＳＯ42-となるが、その一部はＳＯ32-として存在する場合がある。長時間、例えば３０〜６０分程度、空気を通気するとＳＯ32-はＳＯ42-に変わるが、その時間を短縮するにはパージ用ガスと共にもしくは別に中和脱ガス器の吸収液中にオゾンを流せば良い。オゾンの発生方法は、紫外線法、無声放電法、または、電気分解法などの一般的に良く知られている方法を用いることが可能である。オゾン発生器（オゾナイザー）をパージ用ガスの通気管に取り付けると、簡便、容易に吸収液中にオゾンを流すことができる。なお、ＩＣ法などの分析法で実際に分析した結果、ＳＯ32-が存在しない場合は、オゾンを流す必要はない。
【００６０】
このように、排ガス吸収液からＩＣ法で分析するときに妨害するアルカリ成分（Ｎａ+）と炭酸イオン（ＣＯ32-）を除去することで、陰イオン（Ｆ-、Ｃｌ-、Ｂｒ-、ＳＯ42-）を精度よく分析でき、排ガス中のハロゲン化合物（ＨＦ、ＨＣｌ、ＨＢｒ）と硫黄酸化物（ＳＯｘ）を１回のサンプリングと１回の分析で同時に測定できる。また、吸収液中にオゾンを流せば、排ガス中のＳＯｘをすべて硫酸イオンに変えることができ、正確なＳＯｘ濃度の測定・分析が可能となる。そして、この方法は、ＩＣ法に限らず、排ガス吸収液からアルカリ成分（Ｎａ+）と炭酸イオン（ＣＯ32-）を除去する必要のある種々の分析法の前処理として使用可能である。
【００６１】
ところで、上記特許文献３のように、有機化合物中のハロゲン化合物と硫黄を燃焼管法で分解し、そのガスを吸収液に捕集した後、イオンクロマトグラフ法で分析する方法があり、また、同様の前処理装置が市販されている（例えば、株式会社ダイヤインスツルメンツ、自動試料燃焼装置、ＡＱＦ−１００型）。これらの燃焼装置は有機物中のハロゲン化合物と硫黄の含有量が多いため、また、分析を自動化しているため、試料採取量は１〜数ｍｇと少ない。燃焼管法とイオンクロマトグラフ法を組み合わせた方法で、廃棄物固形化燃料中の全塩素と硫黄を分析する方法がＪＩＳで定められている（全塩素の分析方法は、日本工業規格（ＪＩＳ）  Ｚ  ７３０２−６  廃棄物固形化燃料：全塩素分試験方法（１９９９）による。また、硫黄の分析方法は、日本工業規格（ＪＩＳ）  Ｚ  ７３０２−７  廃棄物固形化燃料：硫黄分試験方法（２００２）による）。
【００６２】
この規定によれば、試料（最大約１ｇ）を燃焼し、過酸化水素水に吸収させ、イオンクロマトグラフ法で全塩素と硫黄を分析する。さらに、最近では、プラスチックに含まれている臭素系難燃剤であるポリ臭素化ビフェニール（ＰＢＢ）やポリ臭素化ジフェニールエーテル（ＰＢＤＥ）中の臭素をこの燃焼管法とイオンクロマトグラフ法を組み合わせた方法で分析することが行われている。
【００６３】
しかし、廃棄物固形化燃料や臭素系難燃剤中のハロゲン化合物や硫黄を分析する場合は、従来の有機物を分析する場合に比べて、試料中のハロゲン及び硫黄の含有量が少ないため、試料採取量を最大１ｇと多く採取しなければならない。、そのため燃焼による二酸化炭素の発生量も多くなり、過酸化水素水の吸収では、ハロゲン化合物の捕集率が十分でない。
【００６４】
そこで、ＪＩＳで規定されている過酸化水素水の代わりに０．１Ｍの水酸化ナトリウム水溶液を吸収液として用いることにより、その捕集を完全にすることができる。この吸収液の一定量について、本発明の図７に示す分析用前処理装置と図８に示す分析用前処理キットを用いることにより、廃棄物固形化燃料や臭素系難燃剤中のハロゲン化合物や硫黄の分析に応用することができる。
【実施例１】
【００６５】
図１には、本発明の一実施例である排ガス中のハロゲン化合物及び硫黄酸化物の分析方法のフローを示す。  
清掃工場の煙突から排出される排ガスをＪＩＳ法により（例えばＪＩＳ  Ｋ  ００９５など）サンプリング管で採取して測定対象とし、０．１Ｍ水酸化ナトリウム水溶液の吸収液に吸収させて、この吸収液の一定量（１０ｍｌ）を中和脱ガス器に入れた。サンプリング管はステンレス製のものを用い、中和脱ガス器はガラス製のものを用いた。
【００６６】
次いで、この中和脱ガス器内の吸収液にＨ＋型陽イオン交換樹脂（オルガノ（株）製  アンバーライト（商品名）  ＩＲ１２４ＨＡＧ）の一定量（２ｇ）を加えて、吸収液中のナトリウムイオン（Ｎａ+）を樹脂に吸着させて、吸収液を中性溶液にした。吸収液が中性溶液になったことは、ｐＨ試験紙を用いて確認しても良い。
【００６７】
次いで、予め１．０Ｍの水酸化ナトリウム水溶液（２０ｍｌ）に通して洗浄し、酸性成分等を除去したパージ用空気（大気中の空気）を５分〜１５分程度、中和脱ガス器内の吸収液に一定流量（０．２〜０．５Ｌ／分）流して、中性になった吸収液中のＣＯ2を追い出して除去した溶液を測定試料とし、その上澄み液をイオンクロマトグラフに注入してハロゲン化物イオン及び硫酸イオンの測定を行った。
【００６８】
上記方法により、吸収液からナトリウムイオンと炭酸イオンを除去した液をＩＣ法で測定した結果（クロマトグラム）を図２に示す。なお、比較例として、図３には、吸収液を直接ＩＣ法で測定したときの結果を示し、図４には、吸収液に陽イオン交換樹脂を加えてＮａ+を除去した段階の測定結果を示し、図５には陰イオン標準液（７種）のクロマトグラムを示す。なお、ＩＣ法の測定条件を以下に示す（図２から図５とも同じ）。
【００６９】
装置：ダイオネクス社製  ＤＸ５００型  カラム：ダイオネクス社製  ＩｏｎＰａｃ  ＡＧ１２Ａ／ＡＳ１２Ａ  サプレッサ：電気透析形のＡＳＲＳ−II  検出器：電気伝導度  溶離液：２．７ｍＭ炭酸ナトリウムと０．３ｍＭ炭酸水素ナトリウムの混合溶液を１．３ｍｌ／分にて通液  試料注入量：２５μｌ  カラム温度：３５℃  
吸収液を直接ＩＣ法で測定した場合は、図３のクロマトグラムからも明らかなように、アルカリの影響によるナトリウムイオン（Ｎａ+）のピークが見られ、更に炭酸イオンの影響でＦ-及びＣｌ-のピークとの分離性が悪く分析できない。吸収液に陽イオン交換樹脂を加えてＮａ+を除去した場合は、図４のクロマトグラムからも明らかなように、Ｎａ+のピークが消失し、クロマトグラムは改善されるが、炭酸イオンの影響でＦ-及びＣｌ-が妨害され、Ｆ-及びＣｌ-が正確に測定できない。
【００７０】
しかし、図２に示すように、吸収液に陽イオン交換樹脂を加えた後、パージ用空気を吸収液中に通気して吸収液中のＣＯ2を追い出すと、炭酸イオンの影響がなくなってベースラインも安定し、Ｆ-及びＣｌ-のピークが改善される。このクロマトグラムは図５に示す陰イオン標準液（各成分をイオン交換水に溶かしたものであり、各濃度を以下に示す。Ｆ：１．００ｐｐｍ  Ｃｌ：２．００ｐｐｍ  ＮＯ2：３．００ｐｐｍ  Ｂｒ：２．００ｐｐｍ  ＮＯ3：６．００ｐｐｍ  ＰＯ4：６．００ｐｐｍ  ＳＯ4：８．００ｐｐｍ）のクロマトグラムと同様の分離性を示す。
【００７１】
また、表１には実際の廃棄物焼却場において排ガスのサンプリングを４回行ったときの排ガス中のＨＣｌ、ＨＦ、ＨＢｒ、ＳＯｘの分析結果を示す。  
【表１】
2008046026.tif 000003
表１の結果から、排ガス中にはＨＣｌやＳＯｘに加えて、微量のＨＦとＨＢｒが含まれていることが確認された。そして、Ｃｌ-やＳＯ42-と共に、Ｆ-、Ｂｒ-も精度良く検出できた。
【００７２】
また、表２には参考例として排ガスのサンプリングを４回行って、排ガス中の塩化水素の濃度をチオシアン酸水銀（II）吸光光度法（ＪＩＳ  Ｋ  ０１０７）により分析した結果と、同じ排ガスを本実施例によるＩＣ法で分析した結果を示す。
【００７３】
【表２】
2008046026.tif 000004
【００７４】
表２より、４回ともほぼ同じ濃度となる分析結果が得られたため、本実施例による方法は、排ガス中のＨＣｌをはじめとするハロゲン化合物やＳＯｘ濃度の分析方法として、信頼性が高いといえる。そして以上の結果から、排ガス中の低濃度のハロゲン化合物及び硫黄酸化物などの酸性成分を、１回のサンプリングと１回の分析で同時に精度良く測定可能であることが確認された。また、排ガス中のハロゲン化合物及び硫黄酸化物の分析を迅速、簡便、安価に行うことができる。
【実施例２】
【００７５】
一方、排ガス中のＳＯｘが０．１ＭのＮａＯＨ溶液に捕集されると大部分はＳＯ42-となるが、その一部はＳＯ32-として存在する場合がある。実施例１による図２〜図４に示すクロマトグラムには、わずかながらＳＯ32-のピークが確認される。長時間、パージ用空気を吸収液中に通気するとＳＯ32-はＳＯ42-に変わるが、その時間を短縮するため、本実施例ではオゾナイザーからオゾンを発生させて、ＳＯ32-からＳＯ42-への酸化の促進を試みた。本実施例の条件は、オゾナイザー（（株）レーシー製、ｍｏｄｅｌＹＧＲ−１０３Ｎ）を用い、パージ用空気を一定流量（０．２〜０．５Ｌ／分）で５分〜１５分程度通気した。
【００７６】
オゾナイザーから発生するオゾンをパージ用空気と共に吸収液中に通気した以外は実施例１と同様とした。その結果を図６に示す。  
図６から、図２〜図４に示すクロマトグラムと比較して、ＳＯ32-のピークの消失が確認できた。本実施例により、排ガス中のＳＯｘをすべて硫酸イオンに変えることができ、正確なＳＯｘ濃度の測定・分析が可能となる。
【実施例３】
【００７７】
図７には、本発明の一実施例である排ガス中のハロゲン化合物及び硫黄酸化物の分析用前処理装置の構成図を示す。
【００７８】
中和脱ガス器２内の吸収液１中の二酸化炭素を除去するためのパージ用ガスを洗浄するガス洗浄容器４には、洗浄液６として１ＭのＮａＯＨ溶液２０ｍｌが入っており、ガスが洗浄容器４内を通過すると、ガス中のＣＯ2と酸性成分がＮａＯＨ溶液中に吸収除去されてガス通気管７から中和脱ガス器２へ通気する。ガス洗浄容器４と中和脱ガス器２の上部は栓１０などでフタをしてガス通気管７などを通している。
【００７９】
インピンジャー型の中和脱ガス器２に実施例１と同様の排ガスを吸収させた０．１Ｍ水酸化ナトリウム水溶液１の一定量（１０ｍｌ）と、同じく実施例１と同様の陽イオン交換樹脂３の一定量（２ｇ）を入れると、Ｎａ+と陽イオン交換樹脂が溶液中で接触することにより、吸収液１中のＮａ+が陽イオン交換樹脂３に吸着・除去される。
【００８０】
ポンプ５のスイッチを入れ一定の流量（０．２〜０．５Ｌ／分）で大気中の空気を一定時間（５分〜１５分程度）吸引する。ポンプ５の後流側にはガス流量計９を接続している。空気はガス洗浄容器４で洗浄された後、ガス通気管７から中和脱ガス器２に流入する。この時、空気の流入により中和脱ガス器２内の陽イオン交換樹脂３が液中で混合され、液中のＮａ+を効率よく吸着し、吸収液１のｐＨがアルカリ性から中性に変わる。これと同時に液中のＣＯ32-はＣＯ2として中和脱ガス器２の系外へ排気管８から排出される。そして、この吸収液１の上澄み液を注射筒で１ｍｌとり、イオンクロマトグラフに注入して実施例１と同様に吸収液１中のハロゲン化物イオン及び硫酸イオンを測定し、排ガス中のハロゲン化合物及び硫黄酸化物を分析する。
【００８１】
一方、本実施例による分析用前処理装置には、ガス通気管７に実施例２で用いたオゾナイザー１２を接続している（図７の点線で囲った部分）。排ガス中のＳＯｘが０．１ＭのＮａＯＨ溶液に捕集されると大部分はＳＯ42-となるが、その一部はＳＯ32-として存在する場合がある。長時間、パージ用空気を吸収液１中に通気するとＳＯ32-はＳＯ42-に変わるが、その時間を短縮するため、本実施例ではオゾナイザー１２からオゾンを発生させて、ＳＯ32-からＳＯ42-への酸化を促進させている。なお、ＩＣ法などによる分析結果から、ＳＯ32-が存在しない場合は、オゾナイザーを省略してもよいのは言うまでもない。また、オゾナイザー１２をガス通気管７とは別の管に接続しても良いが、ガス通気管７に接続すれば、別の管を設けることなく、オゾンを吸収液１中に通気できるため、簡便、容易、安価ででき、手間も掛からない。
【００８２】
このように、本実施例による分析用前処理装置を使用すれば、例えばＩＣ法などの分析法における水酸化ナトリウム吸収液によるウォーターディップと排ガス中の二酸化炭素によるＦ-とＣｌ-の分離性の問題を解消でき、Ｆ-及びＣｌ-のピークの分離性が良好なクロマトグラムが得られる。したがって、化学反応装置から発生する排ガス中のＨＦ、ＨＢｒ、ＨＣｌなどのハロゲン化合物及び硫黄酸化物を、１回のサンプリングで同時に精度良く測定・分析するための前処理が簡便、容易、短時間にできる。また、オゾナイザー１２を用いれば、排ガス中のＳＯｘをすべて硫酸イオンに変えることができ、正確なＳＯｘ濃度の測定・分析が可能となる前処理ができる。
【実施例４】
【００８３】
図８には、本発明の一実施例である分析用前処理キット２０の正面縦断面図を示す。  
陽イオン交換樹脂（１．０〜２．０ｇ程度）３がガラス管２４内に封入されて、吸収容器２１内に入っており、吸収容器２１の上部はキャップ２２により密封された状態として使用する。
【００８４】
ガラス管２４は、封入が簡易に解けるようなものであれば、ガラス管に限らず、どのような素材や形のものでも良い。また、陽イオン交換樹脂３を安定に保ち、密封できるものであればガラス管に限らない。吸収容器２１の素材についても限定はないが、軽くて丈夫、安価であることからプラスチック製が好ましい。更に吸収容器２１は軟質プラスチック製であればガラス管２４を外部から押すことで簡単に割ることができ、また吸収容器２１の側面を押すことにより吸収液１を簡単に押し出すことができるため、好適である。また、ガラス管２４や吸収容器２１の色について特に限定はないが、透明とすれば吸収容器２１の中身がよく見えるので、操作がしやすい。
【００８５】
本発明の一実施例である分析用前処理キット２０は、吸収容器２１の上部にねじ込み式のキャップ２２を取り付けて密栓できる構造となっている。キャップ２２の構造に特に限定はなく、また、吸収容器２１は密封が簡易に解けるような構造であれば、キャップ２２を付けることに限定されず、どのような構造であっても良い。例えばキャップ２２と吸収容器２１が一体的な構造であっても良い。さらにキャップ２２による密封手段に限らず吸収容器２１が密封でき、また密封が簡易に解ける手段（例えば栓をするなど）であれば特に限定されない。
【００８６】
吸収容器２１の大きさは限定されないが、直径１５〜２０ｍｍ程度、長さ１３０〜１５０ｍｍ程度の、持ちやすい大きさが簡便で良い。更に陽イオン交換樹脂封入ガラス管２４は直径７〜９ｍｍ程度、長さ３０〜４５ｍｍ程度が良い。
【００８７】
図９及び図１０には、図８に示す分析用前処理キット２０の使用例を説明する図を示す。  図９（ａ）に示すように、軟質プラスチック管の吸収容器２１中にガラス管２４に封入されたH+型陽イオン交換樹脂３の一定量（１ｇ）を入れ、次いで図９（ｂ）に示すように、実施例１と同様に採取した排ガス吸収液１の一定量（５ｍｌ程度）を入れる。この操作の順序に限定はなく、例えば排ガス吸収液１を入れてから、H+型陽イオン交換樹脂３を封入したガラス管２４を入れても良い。次いで図９（ｃ）に示すように、吸収容器２１にキャップ２２を取り付けて、図９（ｄ）に示すように、軟質プラスチック管の吸収容器２１を手で折り曲げてH+型陽イオン交換樹脂３の入ったガラス管２４を割り、吸収液１とH+型陽イオン交換樹脂３を接触させ、振り混ぜる。
【００８８】
そして、図１０に示すように、この分析用前処理キット２０のキャップ２２を外し、吸収液１中の二酸化炭素を除去するためのパージ用ガスを通気する管７を入れ、ポンプ５をセットする。そしてポンプ５のスイッチを入れ一定の流量（０．２〜０．５Ｌ／分）で空気を一定時間（５分〜１５分）吹き込む。キャップ２２を通気穴と排気穴が２箇所空いたキャップに付け替えて、通気穴にパージ用ガスを通気する管７を差し込んでも良い。また、キャップでなくても吸収容器２１自体に穴を開けておき、使用しない場合は栓やキャップをしておいても良い。
【００８９】
吸収液１に空気を流すと吸収容器２１中の陽イオン交換樹脂３が液中で混合され、液中のＮａ+を吸着すると、吸収液１のｐＨがアルカリ性から中性に変わる。これと同時に液中のＣＯ32-はＣＯ2として吸収容器２１から系外へ排出される。なお、吸収液１の液性は、ｐＨ試験紙で確認できる。
【００９０】
そして、この吸収液１の上澄み液を注射筒でとり、例えばイオンクロマトグラフなどの分析装置に注入して吸収液１中のハロゲン化物イオン及び硫酸イオンを測定し、排ガス中のハロゲン化合物及び硫黄酸化物を分析する。
【００９１】
この分析用前処理キット２０は、空気中に酸性成分が含まれていないこと（清浄な空気であること）、ＩＣ法などで分析したときにＳＯ32-が存在しない場合に使用できる。また、吸収容器２１を固定して、更に通気管７に実施例３のガス洗浄容器４やオゾナイザー１２を接続すれば、実施例３の中和脱ガス器２と同様な使用方法が可能である。
【００９２】
ガラス管２４に封入されたH+型陽イオン交換樹脂３は、水分が保持されるため乾燥せず、また、樹脂からの陰イオン成分の溶出もなく、長期間、少なくとも約１年間程度は安定であるという特徴がある。したがって、保管性に優れ、必要なときにいつでも使用できる。そして、排ガス吸収液のナトリウムイオンや二酸化炭素を除去する前処理が簡便、容易、安価にできる。
【参考例１】
【００９３】
図１１には図７に示す分析用前処理装置に更に吸収液中のガスを捕集する装置を設けた場合の参考例を示す。  
図１１に示す分析用前処理装置は、図７の分析用前処理装置に、更に化学工業等からの排ガス中の塩素、硫化水素、シアン化水素などを吸収するための吸収容器１５を接続したものである。この場合、排ガス中の二酸化炭素の濃度は１％以下である。
【００９４】
図１１に示すように、排ガス中に塩素、硫化水素、シアン化水素などの化合物を含む場合は、更に吸収液１中のガスを捕集する吸収容器１５を設けると良い。吸収容器１５に入れる吸収液１６としては上記実施例等と同様に０．１Ｍ水酸化ナトリウム水溶液などの一定量（１０ｍｌ）の吸収液を用いる。目的とする排ガスを中和脱ガス器２や前処理キット２０の吸収容器２１内の吸収液１に上記実施例と同様に吸収させて、吸収液１のｐＨを酸性にしてパージ用ガスを流すと、吸収液１中の塩素、硫化水素、シアン化水素などのガスが追い出されて、吸収容器１５内の吸収液１６に吸収、捕集される。
【００９５】
そして、これら塩素、硫化水素、シアン化水素等を捕集した吸収液１６を分析すれば良い。分析方法はＩＣ法に限らず、例えば塩素であれば、４−ピリジンカルボン酸−ピラゾロン吸光光度法、硫化水素であれば、イオン電極法、シアン化水素であれば、４−ピリジンカルボン酸−ピラゾロン法及びイオン電極法で分析する。
【００９６】
このように、図７の分析用前処理装置や図８の分析用前処理キット２０は、化学工場などの排ガス中の塩素、硫化水素、シアン化水素を分離するための脱ガス処理にも使用することができる。
【参考例２】
【００９７】
また、図７に示す分析用前処理装置と図８に示す分析用前処理キット２０は、工業排水などの排水中の遊離シアンの分離にも使用することができる。  
試料の排水を中和脱ガス器２や前処理キット２０の吸収容器２１に取り、排水中の遊離シアンをＪＩＳ  Ｋ  ０１０２に準拠した方法によりｐＨ５に調節した後、洗浄した空気を一定流量（１．２Ｌ／分）で一定時間（６０分）排水中に通気して、試料中の遊離シアン（シアン化水素）として排出させて、水酸化ナトリウム水溶液に捕集する。これをＩＣ法もしくは他の方法により分析する。図７に示す分析用前処理装置や図８に示す分析用前処理キット２０はＪＩＳ法の簡便化として使用できる。
【産業上の利用可能性】
【００９８】
本発明は低濃度のハロゲン化合物や硫黄酸化物を含む排ガス試料の分析に極めて有効な分析方法、分析用前処理装置及び分析用前処理キットであり、種々の試料のハロゲン化合物や硫黄酸化物の分析法や分析用の前処理装置及び分析用前処理キットとして産業上の利用可能性が高く、環境分析などの他様々な技術分野への応用も可能である。
【図面の簡単な説明】
【００９９】
【図１】本発明の一実施例である排ガス中のハロゲン化合物及び硫黄酸化物の分析方法のフローである。
【図２】本発明の一実施例である排ガス中のハロゲン化合物及び硫黄酸化物の分析方法により測定した結果である。
【図３】吸収液を直接ＩＣ法で測定した結果である。
【図４】吸収液に陽イオン交換樹脂を加えた段階の試料をＩＣ法で測定した結果である。
【図５】陰イオン標準液（７種）のクロマトグラムである。
【図６】本発明の一実施例である排ガス中のハロゲン化合物及び硫黄酸化物の分析方法により測定した結果であり、オゾンをパージ用空気と共に吸収液中に通気した場合のクロマトグラムである。
【図７】本発明の一実施例である排ガス中のハロゲン化合物及び硫黄酸化物の分析用前処理装置の構成図である。
【図８】本発明の一実施例である分析用前処理キットの正面縦断面図である。
【図９】図８に示す分析用前処理キットの使用例を説明する図である。
【図１０】図８に示す分析用前処理キットの使用例を説明する図である。
【図１１】本発明の参考例である排ガス中の塩素、硫化水素、シアン化水素などの化合物の分析用前処理装置の構成図である（参考例１）。
【符号の説明】
【０１００】
１    吸収液                            ２    中和脱ガス器
３    陽イオン交換樹脂                  ４    ガス洗浄容器
５    ポンプ                            ６    洗浄液
７    ガス通気管                        ８    排気管
９    ガス流量計                        １０  栓
１２  オゾナイザー                      １５  吸収容器
１６  吸収液                            ２０  分析用前処理キット
２１  吸収容器                          ２２  キャップ
２４  ガラス管
【図１】
2008046026.tif 000005
【図２】
2008046026.tif 000006
【図３】
2008046026.tif 000007
【図４】
2008046026.tif 000008
【図５】
2008046026.tif 000009
【図６】
2008046026.tif 000010
【図７】
2008046026.tif 000011
【図８】
2008046026.tif 000012
【図９】
2008046026.tif 000013
【図１０】
2008046026.tif 000014
【図１１】
2008046026.tif 000015